(57)【要約】【課題】簡易な操作によって、電話帳情報に対応付けた画像登録が行える通信端末装置を提供する。【解決手段】携帯電話機は、カメラモジュール２４と、入力を行うためのテンキー部１１と、ＣＰＵ１００を備える。ＣＰＵ１００は、カメラモジュール２４で撮った画像を電話帳情報に対応付けてメモリ１０５に記憶させる。ＣＰＵ１００は、液晶パネル２１への電話帳情報の表示が行われていない状態において、テンキー部１１から入力された入力情報と電話帳情報とのマッチングを判定することにより、入力情報に関連する電話帳情報をメモリ１０５から抽出する。ＣＰＵ１００は、電話帳情報が抽出された電話帳情報を液晶パネル２１に表示するとともに、電話帳情報が抽出された後にカメラモジュール２４により被写体が撮影された場合、撮影された画像を、抽出された電話帳情報に対応付けてメモリ１０５に記憶させる。【選択図】図２
2014079000.tif 000002
【特許請求の範囲】
【請求項１】
入力に基づいて、記憶部に記憶された電話番号を含む電話帳情報を表示部に表示する通信端末装置において、
被写体を撮影するためのカメラ部と、
前記カメラ部で撮った画像を前記電話帳情報に対応付けて前記記憶部に記憶させる制御部と、
入力部と、
前記表示部への前記電話帳情報の表示が行われていない状態において、前記入力部から入力された入力情報と前記電話帳情報または前記電話帳情報に対応付けられた情報とのマッチングを判定することにより、前記入力情報に関連する前記電話帳情報を前記記憶部から抽出する抽出部と、を備え、
前記制御部は、前記抽出部によって前記電話帳情報が抽出された場合、抽出された前記電話帳情報を前記表示部に表示するとともに、前記抽出部によって前記電話帳情報が抽出された後に前記カメラ部により被写体が撮影された場合、撮影された画像を前記抽出部により抽出された前記電話帳情報に対応付けて前記記憶部に記憶させる、
ことを特徴とする通信端末装置。
【請求項２】
請求項１において、
前記制御部は、前記抽出部によって前記電話帳情報が抽出されなかった場合、前記電話帳情報が抽出されなったときの表示が行われた後に前記電話帳情報の新たな登録を受け付けるとともに、前記抽出部によって前記電話帳情報が抽出されなかった後に前記カメラ部により被写体が撮影された場合、撮影された画像を、受け付けた前記電話帳情報に対応付けて前記記憶部に記憶させる、
ことを特徴とする通信端末装置。
【請求項３】
請求項１または２において、
前記抽出部は、電話番号、電話番号の保有者名、電話番号に割り当てられた短縮番号、および電話番号を記憶するときの登録番号のうちの少なくとも一つと、前記入力部からの前記入力情報とのマッチングを判定する、
ことを特徴とする通信端末装置。
【請求項４】
入力に基づいて、記憶部に記憶された電話番号を含む電話帳情報を表示部に表示する通信端末装置の画像記憶方法において、
前記表示部への前記電話帳情報の表示が行われていない状態において、入力部から入力された入力情報と前記電話帳情報または前記電話帳情報に対応付けられた情報とのマッチングを判定することにより、前記入力情報に関連する前記電話帳情報を前記記憶部から抽出するステップと、
前記電話帳情報が抽出された場合、抽出された前記電話帳情報を前記表示部に表示するステップと、
前記電話帳情報が抽出された後にカメラ部により被写体が撮影された場合、撮影された画像を抽出された前記電話帳情報に対応付けて前記記憶部に記憶させるステップと、
を含む画像記憶方法。
【請求項５】
入力に基づいて、記憶部に記憶された電話番号を含む電話帳情報を表示部に表示する通信端末装置のコンピュータに、
前記表示部への前記電話帳情報の表示が行われていない状態において、入力部から入力された入力情報と前記電話帳情報または前記電話帳情報に対応付けられた情報とのマッチングを判定することにより、前記入力情報に関連する前記電話帳情報を前記記憶部から抽出する機能と、
前記電話帳情報が抽出された場合、抽出された前記電話帳情報を前記表示部に表示する機能と、
前記電話帳情報が抽出された後にカメラ部により被写体が撮影された場合、撮影された画像を抽出された前記電話帳情報に対応付けて前記記憶部に記憶させる機能と、
を付与するプログラム。
【発明の詳細な説明】
【技術分野】
【０００１】
本発明は、携帯電話機やＰＤＡ（Personal Digital Assistant）等の通信端末装置に関するものである。
【背景技術】
【０００２】
従来、携帯電話機には、電話帳機能（アドレス帳機能）が備えられている。かかる電話帳機能は、ユーザの操作に基づいて電話帳情報を表示画面に表示させるものである。ここで、電話帳情報は、電話番号、メール番号、保有者の名前、住所等からなっている。これらの情報が、登録番号（識別番号）に対応付けてメモリに登録されている。
【０００３】
また、携帯電話機には、通常、カメラが備えられている。携帯電話機の中には、カメラで撮影した画像（たとえば、顔写真）を、電話帳情報に対応付けて記憶し（電話帳に登録し）、その画像を電話帳情報とともに表示画面に表示させるようにしたものもある。このような携帯電話機は、たとえば、特許文献１や特許文献２に記載されている。
【先行技術文献】
【特許文献】
【０００４】
【特許文献１】特開２００３−８７６１７号公報
【特許文献２】特開２００４−３３６７１１号公報
【発明の概要】
【発明が解決しようとする課題】
【０００５】
しかしながら、上記携帯電話機では、撮影した画像を電話帳へ登録するまでの操作が煩雑であり、操作性に劣るという課題がある。
【０００６】
すなわち、カメラモードにて画像を登録する場合には、まず、カメラを起動して画像を撮影した後、電話帳機能を起動して電話帳から登録対象となる電話帳情報を選び、その後、撮影した画像を登録するとの操作が必要となる。また、電話帳機能から画像を登録する場合には、まず、電話帳機能を起動して電話帳から登録対象となる電話帳情報を選んだ後、カメラを起動して画像を撮影し、この画像を登録するとの操作が必要となる。
【０００７】
いずれの場合も、カメラと電話帳の二つ機能を起動させる操作が必要となり、どうしても操作の回数が多くなってしまう。
【０００８】
本発明は、このような課題を解消するためになされたものであり、簡易な操作によって、電話帳情報に対応付けた画像登録が行える通信端末装置を提供することを目的とする。
【課題を解決するための手段】
【０００９】
本発明の第１の態様は、入力に基づいて、記憶部に記憶された電話番号を含む電話帳情報を表示部に表示する通信端末装置に関する。本態様に係る通信端末装置は、被写体を撮影するためのカメラ部と、前記カメラ部で撮った画像を前記電話帳情報に対応付けて前記記憶部に記憶させる制御部と、入力部と、前記表示部への前記電話帳情報の表示が行われていない状態において、前記入力部から入力された入力情報と前記電話帳情報または前記電話帳情報に対応付けられた情報とのマッチングを判定することにより、前記入力情報に関連する前記電話帳情報を前記記憶部から抽出する抽出部と、を備える。前記制御部は、前記抽出部によって前記電話帳情報が抽出された場合、抽出された前記電話帳情報を前記表示部に表示するとともに、前記抽出部によって前記電話帳情報が抽出された後に前記カ
メラ部により被写体が撮影された場合、撮影された画像を前記抽出部により抽出された前記電話帳情報に対応付けて前記記憶部に記憶させる。
【００１０】
ここで、前記抽出部は、たとえば、電話番号、電話番号の保有者名、電話番号に割り当てられた短縮番号、および電話番号を記憶するときの登録番号のうちの少なくとも一つと、前記入力部からの前記入力情報とのマッチングを判定する。
【００１１】
本態様に係る通信端末装置において、前記制御部は、前記抽出部によって前記電話帳情報が抽出されなかった場合、前記電話帳情報が抽出されなったときの表示が行われた後に前記電話帳情報の新たな登録を受け付けるとともに、前記抽出部によって前記電話帳情報が抽出されなかった後に前記カメラ部により被写体が撮影された場合、撮影された画像を、受け付けた前記電話帳情報に対応付けて前記記憶部に記憶させる構成とされ得る。
【００１２】
本発明の第２の態様は、入力に基づいて、記憶部に記憶された電話番号を含む電話帳情報を表示部に表示する通信端末装置の画像記憶方法に関する。本態様に係る画像記憶方法は、前記表示部への前記電話帳情報の表示が行われていない状態において、入力部から入力された入力情報と前記電話帳情報または前記電話帳情報に対応付けられた情報とのマッチングを判定することにより、前記入力情報に関連する前記電話帳情報を前記記憶部から抽出するステップと、前記電話帳情報が抽出された場合、抽出された前記電話帳情報を前記表示部に表示するステップと、前記電話帳情報が抽出された後にカメラ部により被写体が撮影された場合、撮影された画像を抽出された前記電話帳情報に対応付けて前記記憶部に記憶させるステップと、を含む。
【００１３】
本発明の第３の態様は、入力に基づいて、記憶部に記憶された電話番号を含む電話帳情報を表示部に表示する通信端末装置のコンピュータに適用されるプログラムに関する。本態様に係るプログラムは、前記通信端末装置のコンピュータに、前記表示部への前記電話帳情報の表示が行われていない状態において、入力部から入力された入力情報と前記電話帳情報または前記電話帳情報に対応付けられた情報とのマッチングを判定することにより、前記入力情報に関連する前記電話帳情報を前記記憶部から抽出する機能と、前記電話帳情報が抽出された場合、抽出された前記電話帳情報を前記表示部に表示する機能と、前記電話帳情報が抽出された後にカメラ部により被写体が撮影された場合、撮影された画像を抽出された前記電話帳情報に対応付けて前記記憶部に記憶させる機能と、を付与する。
【００１４】
以上の構成によれば、逐一電話帳の機能を起動させなくても、ユーザが入力情報を入力した後に被写体を撮影することで、カメラ部で撮った画像を電話帳情報に対応付けて記憶する、即ち、電話帳に登録することができるので、登録操作が容易となり、ユーザの使い勝手が良くなる。
【００１５】
さらに、入力情報にマッチングした電話帳情報がないときでも、電話帳情報が抽出されなかったときの表示を受けて、ユーザは、新たな電話帳情報を登録でき、登録された電話帳情報に対応付けて画像を記憶させることができるので、ユーザの使い勝手が一層良い。
【発明の効果】
【００１６】
以上のとおり、本発明によれば、簡易な操作によって、電話帳情報に対応付けた画像登録が行える通信端末装置を提供することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係る携帯電話機の外観構成を示す図
【図２】実施の形態に係る携帯電話機の全体構成を示すブロック図
【図３】実施の形態に係る電話帳テーブルおよびスピードダイヤルテーブルを示す図
【図４】実施の形態に係る電話帳情報を抽出するための抽出処理を示すフローチャート
【図５】実施の形態に係る電話帳情報に画像を登録するための画像登録処理を示すフローチャート
【図６】実施の形態に係る電話帳情報を抽出して画像を登録する一連の画像登録処理における画面表示例を示す図
【図７】変更例１に係る画像登録処理を示すフローチャート
【図８】変更例１に係る電話帳情報を選択・確定するための選択確定処理を示すフローチャート
【図９】変更例１に係る一連の画像登録処理における画面表示例を示す図
【図１０】変更例２に係る電話帳情報の抽出処理を示すフローチャート
【図１１】変更例２に係る抽出された電話帳情報を表示する画面表示例を示す図
【図１２】変更例３に係る電話帳情報の抽出処理を示すフローチャート
【図１３】変更例３に係る画像登録処理を示すフローチャート
【図１４】変更例３に係る画像登録処理を示すフローチャート（図１３に続くフローチャート）
【図１５】変更例３に係る一連の画像登録処理における画面表示例を示す図
【図１６】変更例３に係る一連の画像登録処理における画面表示例を示す図
【図１７】変更例４に係る画像登録処理を示すフローチャート（図１３に続くフローチャート）
【図１８】変更例４に係る選択確定処理を示すフローチャート
【図１９】変更例４に係る一連の画像登録処理における画面表示例を示す図
【図２０】変更例５に係るＰＤＡの外観構成を示す図
【図２１】変更例５に係るＰＤＡの全体構成を示すブロック図
【図２２】変更例５に係る電話帳情報の抽出処理について説明するための図
【図２３】その他の変更例の構成を示す図
【発明を実施するための形態】
【００１９】
以下、本発明の実施の形態につき図面を参照して説明する。図１は携帯電話機の外観構成を示す図であり、同図（ａ）は、第２キャビネットが開放した状態の携帯電話機の正面図、同図（ｂ）は同じ状態での側面図である。同図（ｃ）は同図（ｂ）のＡ−Ａ´断面図である。
【００２０】
携帯電話機は、第１キャビネット１と第２キャビネット２を備えている。第１キャビネット１には、テンキー部１１が配されている。テンキー部１１には、複数個の番号・文字入力キーや通話開始キー、通話終了キーなどが備えられている。テンキー部１１の背後には、バックライト装置１２（以下、「キーバックライト」という）が配されている。キーバックライト１２は、光源となるＬＥＤを備え、テンキー部１１に光を供給する。これにより、ユーザは、周囲が暗くても各キーに付された表示を見ることができる。
【００２１】
第２キャビネット２の正面側には、縦長の矩形状を有する液晶パネル２１が配されており、その表示面が正面に臨んでいる。液晶パネル２１の背後には、バックライト装置２２（以下、「パネルバックライト」という）が配されている。パネルバックライト２２は、光源となるＬＥＤを備え、液晶パネル２１に光を供給する。
【００２２】
第２キャビネット２の正面側には、さらに、メインキー部２３が配されている。メイン
キー部２３には、各種の機能モード（カメラモード、メールモード、インターネットモード、電話帳モード）を起動するためのモードキー、画面をスクロールしたりハイライトフォーカスを移動させたりするための移動キー、各種の決定動作を行うための決定キーなどが配されている。
【００２３】
第２キャビネット２の内部には、カメラモジュール２４が配されている。カメラモジュール２４のレンズ窓（図示せず）は、第２キャビネット２の背面に臨んでおり、このレンズ窓から被写体の像がカメラモジュール２４に取り込まれる。
【００２４】
第２キャビネット２は、スライド機構部３によって、第１キャビネット１に対し図１のＸ軸方向にスライド可能に連結されている。図１（ｃ）に示すように、スライド機構３は、ガイド板３１とガイド溝３２によって構成されている。ガイド板３１は、第２キャビネット２の背面の左右両端部に設けられており、その下端に突条３１ａを有する。ガイド溝３２は、第１キャビネット１の側面に、スライド方向（図１のＸ軸方向）に沿って形成されている。ガイド板３１の突条３１ａは、ガイド溝３２に係合されている。
【００２５】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後にテンキー部１１の全てのキーが隠れた状態となる。第２キャビネット２は、ガイド板３１がガイド溝３２の終端位置に達するまでスライドする（開いた状態とする）ことができる。第２キャビネット２が完全に開くと、図１（ａ）に示すように、テンキー部１１の全てのキーが外部に露出する。
【００２６】
図２は、携帯電話機の全体構成を示すブロック図である。本実施の形態の携帯電話機は、上述した各構成要素の他、ＣＰＵ１００、映像エンコーダ１０１、マイク１０２、音声エンコーダ１０３、通信モジュール１０４、メモリ１０５、バックライト駆動回路１０６、映像デコーダ１０７、音声デコーダ１０８、スピーカ１０９を備えている。
【００２７】
カメラモジュール２４は、撮像レンズ２４ａ、撮像素子２４ｂなどから構成されている。撮像レンズ２４ａは、被写体の像を撮像素子２４ｂ上に結像させる。撮像素子２４ｂは、例えばＣＣＤからなり、取り込んだ画像に応じた撮像信号を生成し、映像エンコーダ１０１へ出力する。映像エンコーダ１０１は、撮像素子２４ｂからの撮像信号を、ＣＰＵ１００が処理できるディジタルの撮像信号に変換してＣＰＵ１００へ出力する。
【００２８】
マイク１０２は、音声信号を電気信号に変換して音声エンコーダ１０３へ出力する。音声エンコーダ１０３は、マイク１０２からの音声信号を、ＣＰＵ１００が処理できるディジタルの音声信号に変換してＣＰＵ１００へ出力する。
【００２９】
通信モジュール１０４は、ＣＰＵ１００からの音声信号や画像信号、テキスト信号などを無線信号に変換し、アンテナ１０４ａを介して基地局へ送信する。また、アンテナ１０４ａを介して受信した無線信号を音声信号や画像信号、テキスト信号などに変換してＣＰＵ１００へ出力する。
【００３０】
メモリ１０５は、ＲＯＭおよびＲＡＭを含む。メモリ１０５には、ＣＰＵ１００に制御機能を付与するための制御プログラムが記憶されている。また、メモリ１０５には、カメラモジュール２４で撮影した画像データや通信モジュール１０４を介して外部から取り込んだ画像データ、テキストデータ（メールデータ）などが所定のファイル形式で保存される。
【００３１】
さらに、メモリ１０５には、図３（ａ）に示す電話帳テーブルと同図（ｂ）に示すスピ
ードダイヤルテーブル（以下、「ＳＤテーブル」という）が記憶されている。
【００３２】
図３（ａ）を参照して、電話帳テーブルには、三桁の登録番号に対応付けられて電話番号、メールアドレス、名前等の電話帳情報が登録されている。また、これら電話帳情報に対応付けてメモリ１０５に記憶された画像データ（たとえば、電話番号の保有者の顔写真）のＩＤ番号（管理番号）が登録されている。なお、画像データが対応付けられていない電話帳情報の欄には、ＩＤ番号が登録されていない。
【００３３】
図３（ｂ）を参照して、ＳＤテーブルには、二桁の短縮番号に対応付けて電話番号、名前等の電話帳情報が登録されている。電話番号に短縮番号を割り当る設定が行われることによって、ＳＤテーブルへの電話番号等の登録が行われる。
【００３４】
図２に戻り、バックライト駆動回路１０６は、ＣＰＵ１００からの制御信号に応じた電圧信号をパネルバックライト２２、キーバックライト１２に供給する。
【００３５】
映像デコーダ１０７は、ＣＰＵ１００からの映像信号を液晶パネル２１で表示できるアナログの映像信号に変換し、液晶パネル２１に出力する。
【００３６】
音声デコーダ１０８は、ＣＰＵ１００からの音声信号をスピーカ１０９で出力できるアナログの音声信号に変換し、スピーカ１０９に出力する。スピーカ１０９は、音声デコーダ１０８からの音声信号を音声として再生する。
【００３７】
ＣＰＵ１００は、カメラモジュール２４、マイク１０２、メインキー部２３、テンキー部１１など各部からの入力信号に基づいて、通信モジュール１０４、映像デコーダ１０７、音声デコーダ１０８などの各部に制御信号を出力することにより、種々の機能モードの処理を行う。
【００３８】
たとえば、ＣＰＵ１００は、電話帳モードのモードキーが押されると、電話帳モードを起動する。そして、この機能モードにおいて、ユーザによって所定の選択操作が行われると、選ばれた電話帳情報を液晶パネル２１に表示させる。このとき、この電話帳情報に対応付けられた画像の登録があれば、その画像を電話帳情報とともに液晶パネル２１に表示させる。
【００３９】
また、ユーザによって短縮番号が入力され、通話開始キーが押されると、ＣＰＵ１００は、ＳＤテーブルから短縮番号に該当する電話番号を呼び出して、その電話番号による通話処理を行う。
【００４０】
さて、本実施の形態の携帯電話機では、カメラモジュール２４で撮影された画像を電話帳情報に対応付けてメモリ１０５に保存し（電話帳に登録し）、上述のように、電話帳モードにおいて、登録した画像を電話帳情報とともに液晶パネル２１に表示させることができる。以下、電話帳への画像の登録処理について説明する。
【００４１】
図４は、ユーザからの入力にマッチングした電話帳情報を抽出するための抽出処理を示すフローチャートである。図５は、抽出した電話帳情報に対応付けて画像を記憶させる画像登録処理を示すフローチャートである。図６は、電話帳情報を抽出して画像を登録する一連の画像登録処理における画面表示例を示す図である。
【００４２】
本実施の形態では、ユーザは、電話番号、電話番号を電話帳テーブルに登録するときの登録番号、および電話番号に割り当てられた短縮番号を用いて、所望の電話帳情報を抽出することができる。ユーザは、液晶パネル２１に待ち受け画面（図６の画面１）が表示さ
れた待ち受けモードの状態において、番号・文字入力キーを用いて番号の入力を行うことができる。
【００４３】
図４を参照して、ユーザによって番号が入力されると（Ｓ１０１：ＹＥＳ）、ＣＰＵ１００はその桁数を判定する（Ｓ１０２）。そして、ＣＰＵ１００は、桁数が三桁以内であれば（Ｓ１０２：ＹＥＳ）、入力された番号を、ＳＤテーブルの短縮番号および電話帳テーブルの登録番号とマッチングする（Ｓ１０３、Ｓ１０４）。
【００４４】
一方、ＣＰＵ１００は、桁数が三桁を超えていれば（Ｓ１０２：ＮＯ）、入力された番号を、電話帳テーブルの電話番号とマッチングする（Ｓ１０５）。
【００４５】
そして、ＣＰＵ１００は、マッチングした電話帳情報があれば（Ｓ１０６：ＹＥＳ）、それを液晶パネル２１に表示させて（Ｓ１０７）、次の番号入力を待つ（Ｓ１０１）。一方、マッチしたものがなければ（Ｓ１０６：ＮＯ）、液晶パネル２１に表示させずに（Ｓ１０８）、次の番号入力を待つ（Ｓ１０１）。
【００４６】
こうして、一つの番号が入力される毎に、これらステップＳ１０１からＳ１０８の処理が行われる。したがって、ユーザが所望の番号を入れ終えるまで、一つの番号が入力される度に表示が更新され、最終的に入力された桁数の番号にマッチングする電話帳情報が表示される。たとえば、電話番号の下四桁を入力した場合には、図６の画面２に示すように、下四桁の番号とこれにマッチングした電話帳情報のうちの名前と電話番号（全ての番号）が画面の所定位置に表示される。
【００４７】
次に、図５を参照して、画像の登録処理について説明する。図６の画面２に示すように電話帳情報が表示された状態において、ユーザによってモードキーが押され、カメラモードの起動操作がなされると（Ｓ２０１：ＹＥＳ）、ＣＰＵ１００は、画像登録の候補となる電話帳情報がいくつあるかを判定する（Ｓ２０２）。
【００４８】
ＣＰＵ１００は、候補が一つであれば（Ｓ２０２:一つ）、カメラを起動する（Ｓ２０３）。これにより、図６の画面３のように、液晶パネル２１にプレビュー画面が表示される。
【００４９】
次に、ユーザによって決定キーが押され、撮影操作がなされると（Ｓ２０４：ＹＥＳ）、ＣＰＵ１００は、撮影を行い（Ｓ２０５）、撮影した画像を液晶パネル２１に表示させる。同時に、図６の画面４に示すように、保存操作を促す表示を行う（Ｓ２０６）。
【００５０】
ユーザによって決定キーが押され、保存操作がなされると（Ｓ２０７：ＹＥＳ）、ＣＰＵ１００は、この画像の画像データを抽出された電話帳情報に対応付けてメモリ１０５に記憶させる（Ｓ２０８）。このとき、液晶パネル２１には、図６の画面５に示すように、名前と電話番号とともに登録された画像が表示される。
【００５１】
一方、ユーザによって保存操作がなされず（Ｓ２０７：ＮＯ）、クリア操作がなされると（Ｓ２０９：ＹＥＳ）、ＣＰＵ１００は、ステップＳ２０４に戻って、再び撮影操作を待つ。
【００５２】
なお、ステップＳ２０２において、ＣＰＵ１００は、候補がない、あるいは候補が複数あると判定すると（Ｓ２０２：なし、複数）、カメラを起動しない（Ｓ２１０、Ｓ２１１）。よって、この場合は、画像の登録ができない。
【００５３】
以上、本実施の形態によれば、従来のように逐一電話帳モードを起動させずとも、撮影
した画像を電話帳に容易に登録することができる。すなわち、本実施の形態によれば、画像を登録したい電話帳情報を抽出するための情報(電話番号等)を入力した後に、カメラを起動して撮影し、撮影した画像の保存操作を行うだけで、その画像を所望の電話帳情報に対応付けて保存する、即ち電話帳に登録することができる。このように、本実施の形態によれば、電話帳への登録操作を極めて簡便なものとすることができるため、ユーザの使い勝手を向上できる。
【００５４】
＜変更例１＞
上記実施の形態では、図４の処理フローにおいて電話帳情報の候補が複数抽出されると、図５の処理フローのＳ２０２からＳ２１１へと進み、カメラの起動が中止される。よって、電話帳情報の候補が複数抽出された場合には画像登録が行えなかった。これに対し、本変更例では、電話帳情報の候補が複数抽出された場合に、ユーザが所望の候補を選択できるようにしている。
【００５５】
図７は、変更例１に係る画像登録処理を示すフローチャートである。この処理フローでは、図５のＳ２１１がＳ２１２に置き換えられている。すなわち、Ｓ２０２にて電話帳情報の候補が複数あると判定されると、ＣＰＵ１００は、ユーザに対して候補の選択を促す表示を行う（Ｓ２１２）。その他の処理ステップは図５と同様である。
【００５６】
たとえば、入力された番号と下四桁が同じ電話番号が電話帳に複数登録されている場合には、図９の画面２のように、複数の候補が表示される。この状態において、カメラの起動操作がなされると、画面３に示すように、ユーザに対して候補の選択を促す表示が行われる。
【００５７】
これを受けて、ユーザが、所望の候補を選択すると、図７のＳ２０２における判定が“１つ”となり、Ｓ２０３以降の処理へと進む。これにより、ユーザが選択した電話帳情報に画像が登録される。
【００５８】
図８は、電話帳情報を選択・確定するための処理フローを示す図である。
【００５９】
Ｓ３０１において、ＣＰＵ１００は、ユーザによって選択操作がなされたかを判定する。ユーザが移動キーを用いて選択操作を行うと、ＣＰＵ１００は、選択操作がなされたと判定し、たとえば図９の画面３に示すように、選択された電話帳情報の候補にハイライトフォーカスを当てる（Ｓ３０２）。その後、ユーザが決定キーを押して確定操作を行うと（Ｓ３０３：ＹＥＳ）、ＣＰＵ１００は、ハイライトフォーカスされた候補を画像登録の候補に確定する（Ｓ３０４）。これにより、電話帳情報の候補が一つに絞られる。
【００６０】
なお、図８の処理フローは、カメラ起動後のみならず、カメラ起動前であっても、ユーザによる操作に応じて、随時、実行される。たとえば、図９の画面２の状態において、ユーザが選択操作を行うと、図８の処理フローのＳ３０１がＹＥＳとなり、Ｓ３０２以降の処理が行われる。かかる処理により候補が確定された後に、カメラの起動操作がなされると、図７のＳ２０２で候補が一つであると判定され、Ｓ２０３以降の処理が行われる。
【００６１】
以上、変更例１の構成によれば、複数の電話帳情報が抽出されたときに、ユーザは所望の電話帳情報を選んで、画像の登録を行うことができる。よって、ユーザの使い勝手が一層良くなる。
【００６２】
＜変更例２＞
変更例２では、電話帳情報の抽出処理が上記実施の形態や変更例１に対し変更されている。即ち、上記実施の形態や変更例１では、電話番号、電話番号を電話帳テーブルに登録
するときの登録番号、および電話番号に割り当てられた短縮番号が入力された番号にマッチングするかによって、電話帳情報が抽出される。
【００６３】
これに対し、変更例２では、予め決められたキー操作を行うことにより、電話帳情報が抽出される。具体的には、予め決められたキー操作を行うことにより、既に画像が登録されている電話帳情報、または、未だ画像が登録されていない電話帳情報が抽出される。ここで、キー操作は、たとえば、一つのキー（テンキー部１１またはメインキー部２３の何れかのキー）を長押ししたり、複数のキーを同時押ししたりするなどの特殊キー操作とすることができる。
【００６４】
なお、変更例２では、通常、複数の電話帳情報が抽出される。このため、画像の登録を行う際には、変更例１の画像登録処理（図７）および候補確定処理（図９）が行われる。
【００６５】
図１０は、変更例２に係る電話帳情報の抽出処理を示すフローチャートである。図１１は、変更例２に係る画面表示例を示す図である。
【００６６】
図１０を参照して、ユーザによって画像未登録の電話帳情報を抽出するためのキー操作がなされると（Ｓ４０１：ＹＥＳ）、ＣＰＵ１００は、電話帳テーブルのＩＤ番号の欄（図３（ａ）参照）を参照し、ＩＤ番号のない電話帳情報を抽出する（Ｓ４０２）。次に、ＣＰＵ１００は、電話帳情報が抽出されれば（Ｓ４０３：ＹＥＳ）、液晶パネル２１に抽出された電話帳情報を表示させる（Ｓ４０４）。この処理により、たとえば、図１１（ａ）に示すように、画像未登録の各案件の名前および電話番号が表示される。
【００６７】
一方、ユーザによって画像既登録の電話帳情報を抽出するためのキー操作がなされると（Ｓ４０５：ＹＥＳ）、ＣＰＵ１００は、電話帳テーブルのＩＤ番号の欄を参照し、ＩＤ番号のある電話帳情報を抽出する（Ｓ４０６）。そして、ＣＰＵ１００は、電話帳情報が抽出されれば（Ｓ４０３：ＹＥＳ）、液晶パネル２１に抽出された電話帳情報を表示させる（Ｓ４０４）。この処理により、たとえば、図１１（ｂ）に示すように、画像既登録の各案件の名前および電話番号が画像とともに表示される。
【００６８】
なお、ＣＰＵ１００は、ステップＳ４０３で抽出された電話帳情報がないと判定すれば、その旨を表示させる（Ｓ４０７）。
【００６９】
このように、変更例２の構成によれば、ユーザは画像登録がない電話帳情報を抽出でき、その中から所望のものを選び出して、画像の登録を行うことが可能となる。また、ユーザは画像登録のある電話帳情報を抽出でき、その中から所望の案件を選び出して、画像の更新を行うことが可能となる。
【００７０】
＜変更例３＞
上記実施の形態および変更例１、２では、電話帳から抽出された電話帳情報をカメラ起動前に表示するようにしたが、本変更例では、ユーザにより番号入力が行われても、抽出された電話帳情報は表示されない。本変更例では、番号入力を行った後、一連の動作として、カメラ起動操作が行われることが想定されている。
【００７１】
図１２は、変更例３に係る電話帳情報の抽出処理を示すフローチャートである。
【００７２】
図１２の処理フローでは、図４のステップＳ１０６からＳ１０８の処理に変えて、ステップＳ１０９の処理が行われる。即ち、ＣＰＵ１００は、抽出した電話帳情報を液晶パネル２１に表示させず、後の画像登録処理に用いるために保持しておく（Ｓ１０９）。この場合、液晶パネル２１には、図１５の画面２に示すように、ユーザによって入力された番
号のみが表示される。
【００７３】
図１３および図１４は、本変更例における画像の登録処理フローを示す図である。
【００７４】
ユーザによってカメラの起動操作がされると（Ｓ５０１：ＹＥＳ）、ＣＰＵ１００は、電話帳情報が抽出され候補が存在するか否かを判定する（Ｓ５０２）。そして、候補があれば（Ｓ５０２：ＹＥＳ）、カメラを起動すると共に、プレビュー画面に、候補となる電話帳情報を表示させる（Ｓ５０８）。この処理により、たとえば、図１５の画面５のようにプレビュー画面に名前が付加された表示が行われる。ユーザは、表示された名前を見ることにより、画像の登録先に誤りがないかを確認することができる。なお、名前とともに電話番号を表示させても良い。
【００７５】
一方、電話帳情報が抽出されておらず候補がなければ（Ｓ５０２：ＮＯ）、ＣＰＵ１００は、入力された番号にマッチングする電話帳情報がない旨の表示を行う（Ｓ５０３）。この処理により、たとえば、図１５の画面３に示すような表示が行われる。
【００７６】
これを受けて、ユーザは、新たに電話情報登録を行うことができる。電話情報登録に割り当てられたキーがユーザによって操作されると（Ｓ５０４：ＹＥＳ）、ＣＰＵ１００は、登録用の画面を表示させる（Ｓ５０５）。この処理により、たとえば、図１５の画面４に示すような登録画面が表示される。ユーザは、この画面において、名前と電話番号を登録することができる。ユーザによって登録完了に割り当てられたキーが操作されると（Ｓ５０６：ＹＥＳ）、ＣＰＵ１００は、カメラを起動する（Ｓ５０８）。なお、このときも、プレビュー画面において、新たに登録した名前を表示させる。
【００７７】
こうして、その後、ユーザによって撮影操作がなされると（Ｓ５０９：ＹＥＳ）、ＣＰＵ１００は、撮影処理を行い（Ｓ５１０）、撮影した画像を液晶パネル２１に表示させるとともに、図１５の画面６のような保存操作を促す表示を行う（Ｓ５１１）。その後、ユーザによって保存操作がなされると（Ｓ５１２：ＹＥＳ）、ＣＰＵ１００は、候補が一つであるか否かを判定する（Ｓ５１３）。そして、候補が一つであれば（Ｓ５１３：ＹＥＳ）、撮影した画像の画像データを、その電話帳情報に対応付けてメモリ１０５に記憶させる（Ｓ５１４）。このとき、液晶パネル２１には、図１５の画面７に示すように、名前と電話番号とともに登録された画像が表示される。
【００７８】
なお、ステップＳ５１１で保存操作がなされず（Ｓ５１２：ＮＯ）、クリア操作がなされた場合には（Ｓ５１６：ＹＥＳ）、ＣＰＵ１００は、ステップＳ５０９に戻って、再び撮影操作があるのを待つ。
【００７９】
さて、複数の電話帳情報が抽出され候補が複数ある場合には、カメラ起動時に、図１６の画面３のように、プレビュー画面に複数の電話帳情報(名前)が表示される。この場合、ＣＰＵ１００は、ステップＳ５１３で候補が一つでないと判定し、図１６の画面５に示すような、登録先の選択を促す表示を行う（Ｓ５１５）。この表示に基づいて、ユーザが選択操作を行うと、図８の候補確定処理フローが実行され、登録先が確定する。これにより、ステップ５１３で候補が一つであると判定され、確定された電話帳情報に対応付けられて、撮影した画像の画像データがメモリ１０５に記憶される（Ｓ５１４）。
【００８０】
以上、変更例３の構成によれば、番号入力からカメラ起動までを一連の操作によって行うことができる。この場合、番号入力を行っても、抽出された電話帳情報が表示されないが、代わりに、カメラを起動した際に、電話帳情報が表示されるため、ユーザは、その際に、画像の登録先に誤りがないかを確認することができる。
【００８１】
さらに、変更例３によれば、入力にマッチングした電話帳情報がないときでも、新たな電話帳情報を登録して、それ対応付けて画像を記憶させることができる。よって、ユーザの使い勝手が一層良くなる。
【００８２】
＜変更例４＞
本変更例は、抽出された電話番号情報の候補に所望のものがなかった場合に、入力された番号の前後の番号にマッチングする電話番号情報を候補として提示するものである。すなわち、電話番号情報の候補を前後にスクロールさせる機能を新たに付加するものである。
【００８３】
図１７は、変更例４に係る画像登録処理を示すフローチャートである。
【００８４】
カメラが起動されると（Ｓ５０８）、抽出された電話帳情報の候補が一つであるか否かが判定される（Ｓ５１３）。ＣＰＵ１００は、複数の候補があれば（Ｓ５１３：ＮＯ）、たとえば図１９（ａ）の画面１のように、一つの候補を選択させる表示を行う（Ｓ５１５）。これに基づき、選択操作がなされると、図１８の候補確定処理において、図８で説明したステップＳ３０１からＳ３０４の処理がなされ、候補が一つに確定される。これにより、ステップＳ５１３において候補が一つであると判定され、さらに、ステップＳ５１７で候補が確定されていると判定されて、ステップＳ５０９で撮影操作を待つ状態となる。なお、このとき、図１９（ａ）の画面２のように、確定した電話帳情報が表示される。
【００８５】
一方、抽出された電話帳情報の候補が一つである場合、ＣＰＵ１００は、ステップＳ５１３で候補が一つであると判定する。そして、次に、ステップ５１７で候補が確定されたか否かを判定する。このとき、ユーザにより確定操作がなされていないので、Ｓ５１７における判定がＮＯとなり、図１９（ｂ）のような、候補の確認を促す表示を行う。
【００８６】
ユーザは、表示された電話帳情報（たとえば、名前）を確認する。たとえば、ユーザが登録番号を入力した場合、誤って前後の登録番号を入れてしまうケースも考えられる。ユーザは、確認の結果、電話帳情報が誤っていると判断すると、移動キーを用いて前後に送る操作を行う。
【００８７】
このとき、ＣＰＵ１００は、図１８の候補確定処理において、送り操作があった否かを監視しており（Ｓ３０５）、移動キーの操作に応じて、送り操作があったと判定する（Ｓ３０５：ＹＥＳ）。ユーザの入力が登録番号または短縮番号であれば（Ｓ３０６：ＹＥＳ）、この送り操作に応じて、入力された番号をカウントアップまたはカウントダウンして更新し、更新後の番号の電話帳情報を抽出して表示させる（Ｓ３０７）。
【００８８】
こうして、図１９（ｂ）の画面２のように、正しい電話帳情報が表示され、ユーザによって確定操作がされると、ＣＰＵ１００は候補を確定する（Ｓ３０４）。なお、電話帳情報に誤りがなく、ユーザが何もせずに確定操作を行った場合にも、ＣＰＵ１００は候補を確定する（Ｓ３０４）。
【００８９】
これにより、図１７のステップＳ５１７で、候補が確定されたと判定され、ステップＳ５０９で撮影操作を待つ状態となる。
【００９０】
以上、変更例４の構成によれば、ユーザが誤った短縮番号や登録番号を入力しても、画像が登録される前に電話帳情報を確認して、正しい電話帳情報に訂正することができる。よって、ユーザの使い勝手が良くなる。
【００９１】
＜変更例５＞
図２０は、変更例５に係るＰＤＡの構成を示す図である。ＰＤＡは、第１キャビネット５と第２キャビネット６を備えている。第１キャビネット５および第２キャビネット６は、ともに図２０（ａ）のＸ軸方向に長い長方形の形状をしている。
【００９２】
第１キャビネット５には、文字（かなやアルファベット）の入力キーやテンキーなどからなるキーボード５１が配されている。キーボード５１の背後には、バックライト装置５２（以下、「キーバックライト」という）が配されている。キーバックライト５２によって、キーボード５１に光が供給されることにより、ユーザは、周囲が暗くても各キーに付された表示を見ることができる。
【００９３】
第２キャビネット２には、横長の矩形状を有する液晶パネル６１が配されており、その表示面が正面に臨んでいる。液晶パネル６１の背後には、バックライト装置６２（以下、「パネルバックライト６２」という）が配されている。パネルバックライト６２は、液晶パネル６１に光を供給する。
【００９４】
液晶パネル６１の前面には、タッチパネル６３が配されている。また、第２キャビネット６における、液晶パネル６１の側方には、３つのサブキー６４が配されている。さらに、第２キャビネット６の左右両端部には、それぞれ、マイク６５とスピーカ６６とが配されている。
【００９５】
第２キャビネット６の内部には、カメラモジュール６７が配されている。カメラモジュール６７のレンズ窓（図示せず）は、第２キャビネット６の背面に臨んでおり、このレンズ窓から被写体の像がカメラモジュール６７に取り込まれる。
【００９６】
第２キャビネット６は、スライド機構部（図示せず）によって、第１キャビネット５に対し図２０（ａ）のＹ軸方向にスライド可能に連結されている。
【００９７】
第２キャビネット６が閉じた状態では、図２０（ａ）に示すように、第２キャビネット６が第１キャビネット５の上に略完全に重なっている。この状態（閉じた状態）では、第２キャビネット２の背後にキーボード５１全体が隠れた状態となる。このようにキーボードが隠れた状態においても、タッチパネル６４やサブキー６５によって、通話など、所定の機能モードの操作が可能となる。
【００９８】
第２キャビネット６が完全に開くと、図２０（ｂ）に示すように、キーボード５１全体が外部に露出する。これにより、キーボード５１を用いた機能モードの操作が可能となる。
【００９９】
なお、ユーザは、第２キャビネット６を閉じた状態とし、マイク６５がある側が口元に、スピーカ６６がある側が耳元に来るようにＰＤＡを持って通話を行う。
【０１００】
図２１は、変更例５に係るＰＤＡの全体構成を示すブロック図である。本実施の形態のＰＤＡは、上述した各構成要素の他、ＣＰＵ２００、映像エンコーダ２０１、音声エンコーダ２０２、通信モジュール２０３、メモリ２０４、バックライト駆動回路２０５、映像デコーダ２０６、音声デコーダ２０７を備えている。これらの構成は、図２に示すＣＰＵ１００、映像エンコーダ１０１、音声エンコーダ１０３、通信モジュール１０４、メモリ１０５、バックライト駆動回路１０６、映像デコーダ１０７、音声デコーダ１０８の構成と同様である。また、カメラモジュール６７、マイク６３、スピーカ６４の構成も、図２に示すカメラモジュール２４、マイク１０２、スピーカ１０９の構成と同様である。また、メモリ２０４にも、図３に示す電話帳テーブル、ＳＤテーブルが記憶されている。
【０１０１】
図２２は、変更例５に係る電話帳情報の抽出処理について説明するための図である。同図（ａ）は、抽出処理のフローチャートであり、同図（ｂ）は、抽出処理を行ったときの画面表示例である。
【０１０２】
本変更例のＰＤＡでは、名前によって電話帳情報が抽出される。なお、画像の登録を行う際には、上記実施の形態や変更例１、変更例３の画像登録処理(図５、図７、図１３、図１４)および候補確定処理（図９）が行われる。
【０１０３】
ユーザは、液晶パネル６１に待ち受け画面（図２２（ｂ）の画面１）が表示された待ち受けモードの状態において、キーボード５１を用いて文字の入力を行うことができる。
【０１０４】
図２２を参照して、ユーザによって文字（アルファベット）が入力されると（Ｓ６０１：ＹＥＳ）、ＣＰＵ２００は、入力された文字を、電話帳テーブルの名前とマッチングする（Ｓ６０２）。
【０１０５】
そして、ＣＰＵ２００は、マッチングした電話帳情報があれば（Ｓ６０３：ＹＥＳ）、それを液晶パネル２１に表示させて（Ｓ６０４）、次の番号入力を待つ（Ｓ６０１）。一方、マッチしたものがなければ（Ｓ６０３：ＮＯ）、液晶パネル２１に表示させずに（Ｓ６０５）、次の番号入力を待つ（Ｓ６０１）。
【０１０６】
こうして、一つの文字が入力される毎に、これらステップＳ６０１からＳ６０５の処理が行われる。したがって、ユーザが所望の文字を入れ終えるまで、一つの文字が入力される度に表示が更新され、最終的に入力された桁数の文字にマッチングする電話帳情報が表示される。たとえば、名前の頭文字二つを入力した場合には、図２２（ｂ）の画面２に示すように、二つの文字とこれにマッチングした電話帳情報のうちの名前と電話番号（全ての番号）が画面の所定位置に表示される。
【０１０７】
このように変更例５の構成によれば、名前による電話帳情報の抽出を行うことができる。なお、変更例５の構成においては、文字による抽出処理と並行して、図４の番号による抽出処理を実行させる構成とすることで、文字（名前）と番号（短縮番号、登録番号、電話番号）の双方を用いて電話帳情報を抽出することができるようにしても良い。さらに、図１０の画像未登録、画像既登録の案件を抽出する抽出処理をも、上記２つの抽出処理と並行して実行する構成とし、画像未登録、画像既登録の案件を抽出する操作によっても電話帳情報を抽出することができるようにしても良い。
【０１０８】
＜その他＞
本発明の実施形態は、上記以外にさらに種々の変更が可能である。
【０１０９】
たとえば、カメラを起動した際の、プレビュー画面において、図２３（ａ）に示すような人型のフレームを表示するようにしても良い。この人型のフレームに被写体を合わせるようにして撮影することで、適正な位置、大きさの画像を撮影することが可能となる。なお、人型に限らず、他の形状のフレームでも良い。
【０１１０】
また、図２３（ｂ）に示すように、撮影した画像に、その被写体に関連する付加情報（会社名、部署、誕生日等）を付加して記憶させることできる。この付加情報は、電話帳情報として電話帳テーブルに登録されたものの一つとすることができる。このようにすれば、画像を見たときに、その付加情報も参照することができる。
【０１１１】
また、上記実施の形態では、電話帳情報を抽出した後にカメラを起動し、このカメラで撮った画像を、抽出した電話帳情報に対応付けてメモリ１０５に記憶する（電話帳に登録
する）ようにしたが、これに限らず、電話帳情報を抽出した後に、メモリ１０５に既に記憶されている画像を読み出し、この画像を抽出した電話帳情報に対応付けて、再びメモリ１０５に記憶する（電話帳に登録する）ようにしても良い。
【０１１２】
この他、本発明の実施の形態は、特許請求の範囲に示された技術的思想の範囲内において、適宜、種々の変更が可能である。
【符号の説明】
【０１１３】
１１      テンキー部（入力部）
２３      メインキー部（入力部）
２４      カメラモジュール（カメラ部）
１００    ＣＰＵ（抽出部、制御部）
１０５    メモリ（記憶部）
５１      キーボード（入力部）
６７      カメラモジュール（カメラ部）
２００    ＣＰＵ（抽出部、制御部）
２０４    メモリ（記憶部）
【図１】
2014079000.tif 000003
【図２】
2014079000.tif 000004
【図３】
2014079000.tif 000005
【図４】
2014079000.tif 000006
【図５】
2014079000.tif 000007
【図６】
2014079000.tif 000008
【図７】
2014079000.tif 000009
【図８】
2014079000.tif 000010
【図９】
2014079000.tif 000011
【図１０】
2014079000.tif 000012
【図１１】
2014079000.tif 000013
【図１２】
2014079000.tif 000014
【図１３】
2014079000.tif 000015
【図１４】
2014079000.tif 000016
【図１５】
2014079000.tif 000017
【図１６】
2014079000.tif 000018
【図１７】
2014079000.tif 000019
【図１８】
2014079000.tif 000020
【図１９】
2014079000.tif 000021
【図２０】
2014079000.tif 000022
【図２１】
2014079000.tif 000023
【図２２】
2014079000.tif 000024
【図２３】
2014079000.tif 000025